(57)【特許請求の範囲】
【請求項１】
アプリケーションプログラムに基づき種々の演算を実行するＣＰＵと、アプリケーションプログラムやデータを記憶しておく記憶手段と、演算処理中の作業エリアや処理途中の中間データなどを一時的に記憶する一時記憶手段と、外部からの指示を受け付け、また外部に出力を送出する入出力部と、前記ＣＰＵで演算した演算結果を表示する表示部と、携帯電話と通信を行うインタフェース部を備えた通信端末装置において、
前記入出力部は前記携帯電話を通話開始状態にするオフフック要求信号を入力するオフフック入力部と、前記携帯電話を通話切断状態にするオンフック要求信号を入力するオンフック入力部を有し、
前記インタフェース部は前記携帯電話が応答保留中に前記オンフック入力部からオンフック要求信号が入力されたことを検出すると前記携帯電話に通話切断信号であるオンフックコマンドを送出し、所定時間内に前記携帯電話から切断通知の応答が返ってこなかった場合には前記オフフック入力部からのオフフック要求信号が入力されなくても通話開始信号であるオフフックコマンドを送出して前記携帯電話を通話状態にした後、オンフックコマンドを送出する機能を備えていることを特徴とする通信端末装置。
【請求項２】
請求項１において、前記インタフェース部は前記所定時間内に前記携帯電話から切断通
知の応答が返ってこなかった場合にはスピーカオフ信号を発生して前記通信端末装置に搭
載されているスピーカをオフさせる機能を備えていることを特徴とする通信端末装置。
【発明の詳細な説明】
【技術分野】
【０００１】
本発明は例えば自動車等に搭載された通信端末装置に係り、好ましくは携帯電話を接続しても携帯電話を手に持たずに通話が可能なハンズフリー機能を有する通信端末装置に関するものである。
【背景技術】
【０００２】
自動車等においては通信端末装置と専用の通信ケーブルを介して携帯電話を接続し、この携帯電話を通信装置として用いることで外部と通信を行ない、所望の情報を取得する通信端末装置が増えてきている。
【０００３】
そして、この通信端末装置においては法律により運転中の携帯電話の使用、特に手に持っての通話が禁止されたことにより携帯電話を手に持たずに通話できるようにするハンズフリー機能を備えた通信端末装置が増えてきている。
【０００４】
通常、このような通信端末装置では外部（電話網やインタネット網）からの着信を受けたり、外部へ発信したりできるように通信端末装置側にオンフック（通話切断）ボタン及びオフフック（通話開始）ボタンが設けられている。
【０００５】
一方、携帯電話は外部から着信を受けた場合に例えば、ユーザが忙しくてすぐに電話に出られない場合に備えて携帯電話上のオンフックボタンを押すことで応答保留状態にし、発信先にその旨を伝えるメッセージが送る機能が備わっており、応答保留中に携帯電話上のオンフックボタンを押すことで終話できるようになっている。
【特許文献１】特開２００４−３６３９５３号公報
【発明の開示】
【発明が解決しようとする課題】
【０００６】
そして、更に改良された技術として特開２００４−３６３９５３号公報（特許文献１）にある通り、終話する理由を相手に通知する方法が提案されている。こうした機能は前記ハンズフリー機能においても求められており、一般にハンズフリー機能を備えた通信端末装置から専用の接続ケーブルを介してコマンドを送信することで実現していた。
【０００７】
ところが、専用の接続ケーブルを介して携帯電話に送られるコマンドに対する携帯電話からの応答については厳密に規定されているわけではなく、その応答時間に関してはまったく規定されていないのが現状である。
【０００８】
その為にハンズフリー機能を備えた通信端末装置側で設定した応答時間内に必ずしも応答が返ってこなかったりする機種もあり、ハンズフリー機能を備えた通信端末装置側でオンフックボタン操作を行なって応答保留状態にした後、再度オンフックボタンを押して終話させようとしても終話できない場合が生じる。
【０００９】
このような場合にはユーザはオフフックボタンを押して一度通話状態にしてから再度オンフックボタンを押して切断しなければならなかった。
本発明の目的は、こうした問題点を鑑み、応答保留状態になった携帯電話を確実に終話することができるハンズフリー機能を備えた通信端末を提供することにある。
【課題を解決するための手段】
【００１０】
本発明の特徴はアプリケーションプログラムに基づき種々の演算を実行するＣＰＵと、アプリケーションプログラムやデータを記憶しておく記憶手段と、演算処理中の作業エリアや処理途中の中間データなどを一時的に記憶する一時記憶手段と、外部からの指示を受け付け、また外部に出力を送出する入出力部と、前記ＣＰＵで演算した演算結果を表示する表示部と、携帯電話と通信を行うインタフェース部を備えた通信端末装置において、
前記入出力部は前記携帯電話を通話開始状態にするオフフック入力部と通話遮断状態にするオンフック入力部を有し、
前記インタフェース部は前記携帯電話が応答保留中に前記オンフック入力部から通話遮断信号が入力されたことを検出すると前記携帯電話にオンフックコマンドを送出し、所定時間内に前記携帯電話から応答が返ってこなかった場合には通話開始信号であるオフフックコマンドを送出して前記携帯電話を通話状態にした後、オンフックコマンドを送出する機能を備えていることを特徴とする通信端末装置にある。
【発明の効果】
【００１１】
以上のような構成の通信端末装置においては、ハンズフリー機能を備えた通信端末装置側で設定した応答時間内に必ずしも応答が返ってこない場合があっても応答保留中に確実に終話させることができるようになる。
【発明を実施するための最良の形態】
【００１２】
本発明の一実施例を図面に基づき詳細に説明するが、本発明は以下に説明する実施例に限られることなく種々の変形、応用ができることは言うまでもない。
【実施例】
【００１３】
まず、図１に本発明が適用される通信端末装置の例として自動車に搭載される形式の車載用ナビゲーション装置1と携帯電話２との接続例を示している。
携帯電話２にはＵＳＢ（Universal  Serial Bus）コネクタ端子４aが備えられ、同様に車載用ナビゲーション装置１にもＵＳＢ（Universal  Serial Bus）コネクタ端子５aが備えられている。尚、コネクタ端子５aは携帯電話２を接続する為の１８ピンのコネクタ端子とされている。
【００１４】
これらＵＳＢコネクタ端子４a、５aはＵＳＢコネクタプラグ４b、５bを有した通信ケーブル３によって接続され、ナビゲーション装置１と携帯電話２の間で情報の通信ができるように接続されることになる。尚、車載用ナビゲーション装置1と携帯電話２にはそれぞれ通話開始入力部であるオフフックボタン６ａ、６ｂ及び通話遮断入力部であるオンフックボタン７ａ、７ｂが備えられている。
【００１５】
次に、通信端末装置の例として自動車に搭載する形式のナビゲーション装置の内部構成例について図２を用いて説明する。（以下、通信端末装置は車載用ナビゲーション装置として説明する。）
図２において、ナビゲーション装置１は演算処理部１０、外部記憶装置２０、センサ部３０、表示部４０、外部情報受信部５０、入出力部６０等から構成されている。
【００１６】
演算処理部１０はＣＰＵ(Central Processing Unit)１１、Flash ＲＯＭ(Read Only  Memory) からなる記憶装置１２、ＤＲＡＭ（Dynamic  Random Access Memory）１３から構成されている。もちろん演算処理部１０を構成する要素はこれら以外にもあるが、本発明の説明に関連のない構成要素の図示は省略してある。
【００１７】
ＣＰＵ１１はアプリケーションプログラムを実行するほか種々の演算をするために用いられる。例えばセンサ部３０からの信号を所定のロジックに従って演算したり、ＧＰＳ（Global Positioning System）信号受信部５1からの情報に基づいて車両の現在位置を算出し、算出した現在位置情報から表示に必要な地図情報を外部記憶装置２０から読み出して現在位置としての自車位置マークと共に表示部４０に表示する機能を有している。
また、ＣＰＵ１１はユーザにより任意に指定された２地点間の距離を後述のデータベースに格納された指定地点の座標値データから算出する処理も行なうことができる。
【００１８】
記憶装置１２はハンズフリー機能を実行するアプリケーションプログラムやナビゲーション装置1の各種機能のアプリケーションプログラムやその演算に必要なデータなどを記憶しておくもので、ここではFlash ＲＯＭ１２を用いているがこれと同等の機能を有するＥＰＲＯＭ等であってもよい。
ＤＲＡＭ１３は処理中の作業エリアとして使用したり、地図データなどを一時記憶したりするために用いられるものでSDRAM（Synchronous Dynamic RAM）が使われており、地図情報や演算データ等を記憶したりするものである。
【００１９】
外部記憶装置２０は地図データ、道路種別、道路データを構成するノードやリンク構成情報等の経路計算用道路データ、座標値、電話番号、住所等の施設情報等のナビゲーション処理に必要な情報をデータベースとして構築している。
そして、外部記憶装置２０は前述した情報を記憶しているＤＶＤ(Digital Versatile Disk)２３が挿入されるＤＶＤドライブ２１及びハードディスク装置２２の組み合わせで構成されている。
【００２０】
センサ部３０は方位センサ３１、ジャイロ３２を備えており、方位センサ３１は地球が有している磁場を検出して自動車の向きを検出し、また、ジャイロ３２は光ファイバジャイロや振動ジャイロ等が用いられ、自動車が回転した角度を検出するものである。
これらの方位センサ３１及びジャイロ３２の検出信号はアナログーディジタル変換器（Ａ／Ｄ）３４によりデジタル信号に変換されて内部バス７０を介して演算処理部１０に送られる。    
【００２１】
また、センサ部３０は車輪速センサ３３を備えており、車輪速センサ３３は車輪の回転に伴って出力されるパルス信号をカウンタ３５により計数することにより自動車の走行距離信号を検出し、この走行距離信号は同様に内部バス７０を介して演算処理部１０に送られる。
【００２２】
ＧＰＳ信号受信部５１はＧＰＳアンテナ５４を介してＧＰＳ衛星からの信号を受信し、自動車と衛星との間の距離および距離の変化率を測定することにより、自動車の現在位置、進行方向および進行方位を測定するもので、これらの測定データはＳＣＩ（Serial Communication Interface）５３から内部バス７０を介して演算部１０に送られる。
【００２３】
表示部４０は表示ドライバ４１、グラフィックコントローラ４３、バッファ４４等よりなる表示制御手段及び液晶パネル等からなる表示画面４２から構成され、内部バス７０を介して演算処理部１０から送られてくるデータをバッファ４４に格納し、これに基づいて表示画面４２に地図、誘導ルート、自車位置などを表示させるものである。
【００２４】
また、グラフィックコントローラ４３は表示画面４２に設置されたタッチパネルに設けられた多数のタッチセンサーからの信号を受けてユーザの指等で押された位置を検出する処理も行っている。
【００２５】
入出力部６０はユーザによる指示を受け付けるハードスイッチやジョグスイッチなどで構成されるＫｅｙ ＰＡＤ６２、ユーザの操作するリモコン６５からの光信号を受信するリモコン受光部６１、演算処理部１０が生成した操作者へのメッセージをスピーカ（ＳＰ）６６で音声信号に変換すると共にマイク６８を介して入力される音声信号を取り込んで信号変換するＣＯＤＥＣ６３等により構成されている。
これらはＰＩＯ（Port Input/Output）６４及び内部バス７０を介して演算処理部１０とデータのやり取りを実行する。
【００２６】
携帯電話２と情報のやり取りを行うインタフェース部１６は携帯電話２との間で音声信号（アナログ信号）、コマンドやその応答信号等（デジタル信号）の送受信を行なう機能を有している。
【００２７】
尚、インタフェース部１６は携帯電話２へ送信するコマンドデータをそのインタフェース規格であるＵＳＢに適した信号に変換したり、逆に携帯電話２から受信した応答信号をＣＰＵ１１で処理するのに適した信号に変換したりする処理も行なう。尚、接続プラグ５aを介して車両バッテリからの電力を携帯電話２にも供給するように構成されている。
【００２８】
図３は携帯電話２と接続される通信制御部１００の機能を示したもので、少なくとも入出力部６０からユーザの指示を受け取ったり、種々のメッセージを表示部４０に送って表示させるユーザインタフェース部３００と、このユーザインタフェース部３００からの要求に応じて携帯電話２との通信を行なう携帯電話インタフェース部２００より構成されている。
ここで、携帯電話インタフェース部２００は少なくとも携帯電話２の作動状態や通信制御に必要な情報を記憶しておく状態記憶部２１０と携帯電話２との通信を管理する通信管理部２２０とを備えている。
【００２９】
そして、携帯電話インタフェース部２００はユーザインタフェース部３００からのコマンド(要求)に対してメッセージ(応答)を送り出し、携帯電話２に対して上りシリアル信号となるデータコマンド(要求)を送り、これに対する携帯電話２から下りシリアル信号となるメッセージ(応答)を受け入れるものである。また、ユーザユーザインタフェース部３００には音声入力及び音声出力が入出力される。
【００３０】
尚、実際にはこれらの機能はＲＯＭ１２に格納されているアプリケーションプログラムやソフトモデムプログラムがＲＡＭ１３にロードされてＣＰＵ１１でこのプログラムが実行されることによって実現される。
【００３１】
ちなみにユーザインタフェース部３００はアプリケーションプログラムによってその機能が実現され、携帯電話インタフェース部２００のうち通信管理部２２０はインタフェース部１６を利用したモデムプログラム（ソフトモデム）によってその機能が実現され、状態記憶部２１０はＲＡＭ１３の一部が使用される。
【００３２】
次に本発明のハンズフリー機能を備えるナビゲーション装置においてユーザがオンフックボタンを押して応答保留状態にし、更にこの状態から終話させるまでの処理について図４を用いて説明する。
【００３３】
ユーザによってナビゲーション装置１のオンフックボタン７ｂが押されると、ステップ１００(以下ステップをＳと表記する)によってハンズフリー通話を行なうアプリケーションプログラムの機能によって構成されるユーザインタフェース部３００はモデムプログラムの機能によって構成される電話インタフェース部２００に対し応答保留要求を送出する。
【００３４】
更に電話インタフェース部２００はこの応答保留要求を受けるとＳ１０２で携帯電話２に応答保留要求を送出し、携帯電話２はこれを受けて自身を応答保留状態にすると共にＳ１０４で応答保留ＯＫの応答を電話インタフェース部２００に送出する。
【００３５】
電話インタフェース部２００はこの応答保留ＯＫの応答を受けるとＳ１０５でユーザインタフェース部３００に応答保留ＯＫの応答を送出して応答保留状態となるものである。
この時、電話インタフェース部２００は図３に示す状態記憶部２１０に携帯電話２が応答保留状態にあるという情報を格納するように機能する。
【００３６】
応答保留ＯＫの情報を電話インタフェース部２００から受けると、ユーザインタフェース部３００は応答保留状態であることを示す信号を表示部４０に送り、表示部４０は応答保留状態であることを表示してユーザに報知する。
【００３７】
次に携帯電話２を終話させるためにユーザが再びナビゲーション装置１のオンフックボタン７ｂを押すと、Ｓ１０６でユーザインタフェース部３００は電話インタフェース部２００に対してオンフック（切断）要求を送出する。
【００３８】
このオンフック（切断）要求を受けた電話インタフェース部２００は図３に示す状態記憶部２１０から携帯電話２の状態を確認し（この場合、前述した通り携帯電話インタフェース部２００の状態記憶部２１０には携帯電話２が応答保留状態にあるという情報を格納されている）、その後、接続ケーブル３を介してＳ１１０でオンフック（切断）要求というコマンドをシリアル信号として携帯電話２に対して送出する。
【００３９】
このオンフック（切断）要求を携帯電話２が受けると、携帯電話２は自身で応答保留状態から通話を切断して終話状態とし、Ｓ１１１で終話したという応答(切断通知)を電話インタフェース部２００に送出する。このとき、電話インタフェース部２００は状態記憶部２１０に終話したという状態を記憶し、更にＳ１１３でユーザインタフェース部３００に携帯電話２が終話された旨の応答を送出する。
【００４０】
そして、終話状態の情報を電話インタフェース部２００から受けると、ユーザインタフェース部３００は終話状態であることを示す信号を表示部４０に送り、表示部４０は終話状態であることを表示してユーザに報知する。
【００４１】
ところが、前にも述べたように専用の接続ケーブルを介して携帯電話に送られるコマンドに対する携帯電話からの応答については厳密に規定されているわけではない。
その為にハンズフリー機能を備えた通信端末装置側で設定した応答時間内に必ずしも応答が返ってこなかったりする機種もあり、ハンズフリー機能を備えた通信端末装置側でオンフックボタン操作を行なって応答保留状態にした後、再度オンフックボタンを押して終話させようとしても終話できない場合が生じる。
【００４２】
つまり、一部の機種においては予め設定した時間内に応答が返ってこないので、その場合には電話インタフェース部２００にてタイムアウトが発生する。このような場合にはユーザはオフフックボタンを押して一度通話状態にしてから再度オンフックボタンを押して切断しなければならなかった。
【００４３】
一方、本実施例においてはタイムアウトが発生すると電話インタフェース２００はＳ１２０でタイムアウトが発生した旨を伝える割込み信号(スピーカＯＦＦ要求)をユーザインタフェース部３００に送出する。
【００４４】
割込み信号(スピーカＯＦＦ要求)を受けたユーザインタフェース部３００はスピーカをＯＦＦにし、また、電話インタフェース部２００はＳ１１２で携帯電話２に対してオフフック要求を送出して携帯電話２を通話状態に変更する。
【００４５】
携帯電話２が通話状態に変更されると、携帯電話２はＳ１１４で通話状態になったことを電話インタフェース部２００に伝えるオフフック応答を送出してくるので、このオフフック応答を受けた電話インタフェース部２００はオフフック応答を受けた状態を状態記憶部２１０に格納すると共に、Ｓ１１６でオンフック（切断）要求を再度携帯電話２に対して送出する。
【００４６】
このオンフック（切断）要求を受けた携帯電話２は切断処理を行なって終話状態とし、Ｓ１１８で終話状態である応答(切断)を電話インタフェース部２００に対して送出する。
【００４７】
終話状態である応答(切断)を受けた電話インタフェース部２００は終話状態を状態記憶部２１０に格納すると共に、Ｓ１２２でユーザインタフェース部３００に終話状態である応答(切断通知)を送出し、終話状態の情報を電話インタフェース部２００から受けると、ユーザインタフェース部３００は終話状態であることを示す信号を表示部４０に送り、表示部４０は終話状態であることを表示してユーザに報知する。
【図面の簡単な説明】
【００４８】
【図１】ハンズフリー装置との携帯電話の接続形態を示す図である。
【図２】本発明に関わるハンズフリー装置の内部構成を示す概略図である。
【図３】本発明の一実施例であるハンズフリー装置内の機能ブロックを示す図である。
【図４】本発明の携帯電話の終話処理を説明する為の通信フローを示す図である。
【符号の説明】
【００４９】
１…ハンズフリー装置、２…携帯電話、３…接続ケーブル、４ａ、５ａ…コネクタ、
４ｂ、５ｂ…プラグ、６ａ、６ｂ…オフフックボタン、７ａ、７ｂ…オンフックボタン、
１１…ＣＰＵ、１２：…ＲＯＭ、１３…ＲＡＭ、１４…入出力部、１５…表示部、
１６…インタフェース部、１００…制御部。
【図１】
0004527062.tif 000002
【図２】
0004527062.tif 000003
【図３】
0004527062.tif 000004
【図４】
0004527062.tif 000005